(57)【特許請求の範囲】
【請求項１】
光ファイバ心線の融着部と余長を収納する融着トレイにおいて、上面を開口したトレイ本体の長手方向の両側板外面の左右上部にトレイ本体の上面より上側に突出して長手方向に嵌合孔を有する係合受部を突設し、前記トレイ本体の上面開口を施蓋する蓋体の長手方向の両端縁に前記係合受部よりも内側に位置して前記係合受部の嵌合孔に嵌合する突起を外側方向に有する係合部を突設し、該係合部と前記係合受部とでヒンジを構成して左右両開きに形成するとともに、前記係合部の先端を互いに近づく方向に延設し、この延設部の先端を折曲してつまみ部を形成し、該つまみ部を指で摘むことにより前記係合部が弾性変形して前記係合部と前記係合受部との嵌合を解除可能に形成したことを特徴とする融着トレイ。
【請求項２】
前記トレイ本体の長手方向の両側板外面の左右下部に前記係合受部よりも内側に位置する前記係合部を突設し、前記トレイ本体の下面を蓋体として前記トレイ本体を多段に積層したことを特徴とする請求項１に記載の融着トレイ。
【発明の詳細な説明】
【０００１】
【発明が属する技術分野】
本発明は、光ファイバ心線の融着部と余長を収納する融着トレイのヒンジの構造に関する。
【０００２】
【従来の技術】
従来の片開きタイプの融着トレイ１１は、図５に示すように上面を開口したトレイ本体１２の長手方向の両側板１２ａ，１２ａ外面の一方側の左右上部に、長手方向に向けて嵌合孔１４ａ，１４ａを有する第１係合受部１４，１４と、他方側の左右上部に長手方向に向けて嵌合孔１５ａ，１５ａを有する第２係合受部１５，１５が突設され、トレイ本体１２の上面開口を施蓋する蓋体１３の長手方向の一方側の端縁に第１係合受部１４，１４の嵌合孔１４ａ，１４ａに嵌合する大突起１６ａ，１６ａを両端に有する第１係合部１６が張設され、蓋体１３の長手方向の他方側の端縁に第２係合受部１５，１５の嵌合孔１５ａ，１５ａに嵌合する小突起１７ａ，１７ａを両端に有する第２係合部１７が張設され、第１係合部１６の大突起１６ａ，１６ａと第１係合受部１４，１４の嵌合孔１４ａ，１４ａを嵌合させてヒンジ１９，１９を構成している。蓋体１３はヒンジ１９，１９を軸に開閉自在にされ、他方側の第２係合部１７の小突起１７ａ，１７ａを第２係合受部１５，１５の嵌合孔１５ａ，１５ａに嵌合させることにより蓋体１３を固定していた。
【０００３】
また、両開きタイプの融着トレイ２１は、図６に示すように上面を開口したトレイ本体２２の長手方向の両側板２２ａ，２２ａ外面の左右上部に長手方向に向けて本体側ヒンジ筒２４，２４，２４，２４が形成され、トレイ本体２２の上面開口を施蓋する蓋体２３の長手方向の両端縁に本体側ヒンジ筒２４，２４，２４，２４と対向する位置に蓋体側ヒンジ筒２６，２６，２６，２６が形成され、本体側ヒンジ筒２４，２４，２４，２４と蓋体側ヒンジ筒２６，２６，２６，２６とにヒンジピン２８，２８，２８，２８を挿通させてヒンジ２９，２９，２９，２９を構成している。蓋体２３を開放する場合は一方側のヒンジピン２８，２８を引き抜き、他方側のヒンジ２９，２９を軸に開閉することができる。
【０００４】
【発明が解決しようとする課題】
しかしながら、前述の融着トレイは蓋体が一方にしか開閉できないため、光ファイバの収納作業がしづらい場合があった。また、後述の融着トレイは蓋体が両開きになっているが、蓋体を開放する際はヒンジピンを抜き取り、蓋体を閉塞する際はヒンジピンを差し込まなければならないため、作業が面倒で而もヒンジピンは小さいのでやりづらいという欠点があり、更に抜き取ったヒンジピンを紛失する虞があった。また、部品点数が多くなるのでコストがかかるという問題があった。
【０００５】
【課題を解決するための手段】
上記従来の融着トレイの問題点に鑑み、本発明の目的は、蓋体が左右どちらからでも簡単に開閉でき、安価に製作することができる融着トレイを提供するもので、その構造は、光ファイバ心線の融着部と余長を収納する融着トレイにおいて、上面を開口したトレイ本体の長手方向の両側板外面の左右上部にトレイ本体の上面より上側に突出して長手方向に嵌合孔を有する係合受部を突設し、トレイ本体の上面開口を施蓋する蓋体の長手方向の両端縁に係合受部よりも内側に位置して係合受部の嵌合孔に嵌合する突起を外側方向に有する係合部を突設し、係合部と係合受部とでヒンジを構成して左右両開きに形成するとともに、係合部の先端を互いに近づく方向に延設し、この延設部の先端を折曲してつまみ部を形成し、つまみ部を指で摘むことにより係合部が弾性変形して係合部と係合受部との嵌合を解除可能に形成したことである。
【０００６】
また、トレイ本体の長手方向の両側板外面の左右下部に係合受部よりも内側に位置する係合部を突設し、トレイ本体の下面を蓋体としてトレイ本体を多段に積層したことである。
【０００７】
【発明の実施の形態】
請求項１に記載の融着トレイによれば、光ケーブルの引き込み方向を自由に変更できるスプライスユニットを提供するもので、その構造は、光ファイバ心線の融着部と余長を収納する融着トレイにおいて、上面を開口したトレイ本体の長手方向の両側板外面の左右上部にトレイ本体の上面より上側に突出して長手方向に嵌合孔を有する係合受部を突設し、トレイ本体の上面開口を施蓋する蓋体の長手方向の両端縁に係合受部よりも内側に位置して係合受部の嵌合孔に嵌合する突起を外側方向に有する係合部を突設し、係合部と係合受部とでヒンジを構成して左右両開きに形成するとともに、係合部の先端を互いに近づく方向に延設し、この延設部の先端を折曲してつまみ部を形成し、つまみ部を指で摘むことにより係合部が弾性変形して係合部と係合受部との嵌合を解除可能に形成したことにより、蓋体が左右どちらからでも簡単に開閉でき、安価に製作することができる。
【０００８】
請求項２に記載の融着トレイによれば、トレイ本体の長手方向の両側板外面の左右下部に係合受部よりも内側に位置する係合部を突設し、トレイ本体の下面を蓋体としてトレイ本体を多段に積層したことにより、部品点数を増加させることなく融着トレイを簡単に積層することができる。
【０００９】
【実施例】
本発明に係る融着トレイの一実施例を図１〜図４の添付図面に基づいて説明する。
【００１０】
融着トレイ１は合成樹脂により形成され、上面を開口したトレイ本体２と、トレイ本体２の上面開口を施蓋する蓋体３とで成り、トレイ本体２内部に光ファイバ心線（図示せず）の融着部と余長を収納できるようになっている。
【００１１】
トレイ本体２は長手方向の両側板２ａ，２ａ外面の左右上部にトレイ本体２の上面より上側に突出した係合受部４，４，４，４が突設され、夫々の係合受部４にはトレイ本体２の長手方向に向けて嵌合孔４ａが形成されている。
【００１２】
蓋体３は長手方向の両端縁にトレイ本体２の夫々の係合受部４，４，４，４と対向する係合部６，６，６，６が短手方向に突設され、夫々の係合部６には係合受部４の嵌合孔４ａに嵌合する突起６ａが形成されている。係合部６の突起６ａと係合受部４の嵌合孔４ａを嵌合させることによりヒンジ９が構成される。
【００１３】
係合受部４は融着トレイ１の長手方向の外側に設けられ、係合部６は係合受部４の内側に設けられている。左右の係合部６，６は先端が互いに近づく方向に延設され、この延設部６ｂの先端は折曲されてつまみ部６ｃが形成されている。
【００１４】
蓋体３を開放するには、まず、図２（ａ）の矢印で示すように一方側の係合部６，６のつまみ部６ｃ，６ｃを指で摘む。そうすると係合部６が弾性変形して係合部６の突起６ａが係合受部４の嵌合孔４ａから外れて嵌合が解除される。そこでつまみ部６ｃ，６ｃを指で摘んだまま蓋体３を上げると図２（ｂ）に示すように他方側のヒンジ９，９を軸にして蓋体３を開放することができる。また、蓋体３の開閉方向を変更するには一方側のヒンジ９，９が嵌合した状態で同様の手順で他方側のヒンジ９，９の嵌合を解除することにより図３に示すように蓋体３を開放することができる。
【００１５】
蓋体３を閉塞するには、開放された側の係合部６，６のつまみ部を６ｃ，６ｃ指で摘んで内側方向に弾性変形させ、蓋体３を回動させて対向する係合受部４，４の嵌合孔４ａ，４ａに突起６ａ，６ａを合わせた位置でつまみ部６ｃ，６ｃから指を離して嵌合させることにより蓋体３を閉塞することができる。尚、係合部６の突起６ａは角が丸められているので嵌合孔４ａ付近でつまみ部６ｃから指を離しても蓋体３をずらして係合部６と係合受部４を嵌合させることができる。
【００１６】
また、トレイ本体２は長手方向の両側板２ａ，２ａ外面の左右下部に蓋体３の係合部６と同じ形状の係合部６が突設されている。これにより、トレイ本体２の下面を蓋体としてトレイ本体２を多段に積層することができる。
【００１７】
【発明の効果】
以上のように本発明に係る融着トレイは、光ファイバ心線の融着部と余長を収納する融着トレイにおいて、上面を開口したトレイ本体の長手方向の両側板外面の左右上部にトレイ本体の上面より上側に突出して長手方向に嵌合孔を有する係合受部を突設し、トレイ本体の上面開口を施蓋する蓋体の長手方向の両端縁に係合受部よりも内側に位置して係合受部の嵌合孔に嵌合する突起を外側方向に有する係合部を突設し、係合部と係合受部とでヒンジを構成して左右両開きに形成するとともに、係合部の先端を互いに近づく方向に延設し、この延設部の先端を折曲してつまみ部を形成し、つまみ部を指で摘むことにより係合部が弾性変形して係合部と係合受部との嵌合を解除可能に形成したことにより、蓋体が左右どちらからでも簡単に開閉でき、安価に製作することができるという効果がある。
【００１８】
また、トレイ本体の長手方向の両側板外面の左右下部に係合受部よりも内側に位置する係合部を突設し、トレイ本体の下面を蓋体としてトレイ本体を多段に積層したことにより、部品点数を増加させることなく融着トレイを簡単に積層することができるという効果がある。
【図面の簡単な説明】
【図１】本発明に係る融着トレイを示す分解斜視図である。
【図２】本発明に係る融着トレイの斜視図であり、（ａ）は蓋体を閉塞した状態を示し、（ｂ）は蓋体を右開きに開放した様子を示す。
【図３】本発明に係る融着トレイの蓋体を左開きに開放した様子を示す斜視図である。
【図４】本発明に係る融着トレイを多段に積層した様子を示す斜視図である。
【図５】従来の片開きタイプの融着トレイを示す斜視図である。
【図６】従来の両開きタイプの融着トレイを示す斜視図である。
【符号の説明】
１    融着トレイ
２    トレイ本体
３    蓋体
４    係合受部
４ａ  嵌合孔
６    係合部
６ａ  突起
６ｂ  延設部
６ｃ  つまみ部
９    ヒンジ
【図１】
0004315612.tif 000002
【図２】
0004315612.tif 000003
【図３】
0004315612.tif 000004
【図４】
0004315612.tif 000005
【図５】
0004315612.tif 000006
【図６】
0004315612.tif 000007